(57)【特許請求の範囲】
【請求項１】
回転ドラムを備えた磁気記録再生装置において、
前記回転ドラムを固定するダイキャストよりなるドラムベースと、
前記ドラムベースを固定する板金よりなるデッキ部と、
キャプスタンシャフトとこのキャプスタンシャフトを直立させるベアリングホルダとを有するキャプスタンモータとを備え、
前記キャプスタンモータを前記デッキ部に対して位置決めせず、前記ドラムベースと前記ベアリングホルダとを実質的に直接連結することにより前記キャプスタンモータを前記ドラムベースに対して位置決めするよう構成したことを特徴とする磁気記録再生装置。
【請求項２】
前記キャプスタンシャフトに対して平行とされたシャフトを、前記ドラムベースと前記ベアリングホルダそれぞれに設けた穴に嵌合させて、前記ドラムベースと前記ベアリングホルダとを連結したことを特徴とする請求項１記載の磁気記録再生装置。
【発明の詳細な説明】
【０００１】
【発明の属する技術分野】
本発明は、回転ドラムを備えた磁気記録再生装置に係り、特に、磁気テープを走行させるためのキャプスタンモータの固定構造を改良した磁気記録再生装置に関する。
【０００２】
【従来の技術】
回転ドラムに磁気テープを所定角度で巻き付けて、磁気テープに映像信号等の情報を記録したり、磁気テープに記録された情報を再生する磁気記録再生装置においては、キャプスタンシャフトを回転させて磁気テープを走行させる。磁気テープを安定的に走行駆動するためには、キャプスタンシャフトの機械的寸法精度（平面的な位置，高さ，垂直度の各精度）は、極めて重要である。
【０００３】
図４は従来のキャプスタンモータの固定構造を示す断面図、図５は従来のキャプスタンモータの固定構造を示す平面図である。図４もしくは図５において、キャプスタンモータ１は、キャプスタンシャフト２と、ベアリング３ａを保持すると共にキャプスタンシャフト２を直立させるベアリングホルダ３と、キャプスタンシャフト２を回転させるモータ部であるステータヨーク４及びロータ５とよりなる。
【０００４】
このように構成されるキャプスタンモータ１は、ステータヨーク４上で可能な限り広い面積をとるよう、ステータヨーク４の外周部近傍の例えば３箇所で、メインデッキ１００（図４のみに図示）に固定されたスタッド１０１（図４のみに図示）に対し、ねじ６にて固定されている。なお、回転ドラム（図示せず）はドラムベース（図示せず）を介してメインデッキ１００に固定される。以上のように、従来の磁気記録再生装置は、キャプスタンモータ１をメインデッキ１００に対して位置決めして、キャプスタンシャフト２の機械的寸法精度を確保するようにしていた。
【０００５】
【発明が解決しようとする課題】
ところで、近年、キャプスタンシャフト２に要求される機械的寸法精度は、従来と比較して大幅に高まっている。特に、ビデオカメラ等で使用されるＤＶＣ規格の磁気記録再生装置においては、テープカセットが小型であるがゆえキャプスタンシャフト２の機械的寸法精度が画質に影響を与えやすいことに加え、一段の高画質化が要求されていることから、キャプスタンシャフト２の機械的寸法精度の重要性は極めて高くなる傾向にある。
【０００６】
上述した従来の固定構造では、テープ走行系の基準である回転ドラムからキャプスタンシャフト２までの間に、ドラムベース，メインデッキ１００，ステータヨーク４，ベアリングホルダ３が存在することから、回転ドラム及びキャプスタンシャフト２を含め、回転ドラムからキャプスタンシャフト２までの間には６部品の積み重ね公差が存在することとなる。従って、その積み重ね公差によるばらつきがキャプスタンシャフト２の機械的寸法精度に悪影響を与え、テープ走行系のばらつきの要因となる。このように従来の固定構造においては、近年要求されているキャプスタンシャフト２の機械的寸法精度を満足させることができないという問題点があった。
【０００７】
また、従来の固定構造において機械的寸法精度を高めるためには、キャプスタンシャフト２の調整機構を別途設ける必要があり、コストアップを招くという問題点があった。さらに、従来の固定構造はステータヨーク４の外周部近傍を固定する構造であるので、精度を向上させるにはステータヨーク４の面積を広くとる必要があり、キャプスタンモータ１を小型化することができず、装置の小型化を阻害する要因となるという問題点もあった。
【０００８】
本発明はこのような問題点に鑑みなされたものであり、別部品の調整機構を設けることなく、回転ドラムに対するキャプスタンシャフトの機械的寸法精度を向上させることができ、また、装置を小型化することも可能な磁気記録再生装置を提供することを目的とする。
【０００９】
【課題を解決するための手段】
本発明は、上述した従来の技術の課題を解決するため、回転ドラム（２１）を備えた磁気記録再生装置において、前記回転ドラムを固定するダイキャストよりなるドラムベース（２２）と、前記ドラムベースを固定する板金よりなるデッキ部（１００）と、キャプスタンシャフト（１２）とこのキャプスタンシャフトを直立させるベアリングホルダ（１３）とを有するキャプスタンモータ（１１）とを備え、前記キャプスタンモータを前記デッキ部に対して位置決めせず、前記ドラムベースと前記ベアリングホルダとを実質的に直接連結することにより前記キャプスタンモータを前記ドラムベースに対して位置決めするよう構成したことを特徴とする磁気記録再生装置を提供するものである。
【００１０】
【発明の実施の形態】
以下、本発明の磁気記録再生装置について、添付図面を参照して説明する。図１は本発明の磁気記録再生装置の一実施例を示す断面図、図２は本発明の磁気記録再生装置の一実施例を示す平面図、図３は本発明の磁気記録再生装置の全体構成例を示す平面図である。なお、図３において、図４と同一部分には同一符号が付してある。
【００１１】
まず、図３を用いて本発明の磁気記録再生装置の全体構成の概略について説明する。図３は、本発明の要部であるキャプスタンモータの固定構造を備えたメカニズムアッシー２００を示している。メカニズムアッシー２００は、メインデッキ（ここでは見えていない）上に各種の部品を搭載している。回転ドラム２１は、ドラムベース２２に固定されている。ドラムベース２２は、アルムニウムを鋳造して加工したアルミダイキャストよりなり、高い寸法精度を有している。なお、メインデッキはステンレス等の板金よりなる。
【００１２】
さらに、メインデッキには、図示していないテープカセットの供給リールを駆動するための供給リールディスク２３と、巻き取りリールを駆動するための巻き取りリールディスク２４を備える。テープカセット内に収納された磁気テープは、図示していないローディング機構（ガイドポール等）によって引き出され、回転ドラム２１に略１８０°に渡って巻き付けられる。このとき、回転ドラム２１の左側においてはガイドポール２５〜２７と傾斜ポール２８によって、回転ドラム２１の右側においては図示していないガイドポールと傾斜ポール２９とキャプスタンシャフト１２とガイドポール３０によって、磁気テープの走行路が形成される。
【００１３】
本発明では、キャプスタンモータ１１をメインデッキに対して位置決めするのではなく、ドラムベース２２に対して位置決めするようにしている。本発明の要部であるキャプスタンモータ１１の固定構造について、図１及び図２を用いて説明する。
【００１４】
図１もしくは図２において、キャプスタンモータ１１は、キャプスタンシャフト１２と、ベアリング１３ａを保持すると共にキャプスタンシャフト１２を直立させるベアリングホルダ１３と、キャプスタンシャフト１２を回転させるモータ部であるステータヨーク１４及びロータ１５とよりなる。ステータヨーク１４側であるベアリングホルダ１３の根元部分は、外側（キャプスタンシャフト１２より離れる方向）に突出して、突出部１３ｂとなっている（図１参照）。
【００１５】
ベアリングホルダ１３の突出部１３ｂには、突出部１３ｂの底部付近まで達する穴が形成されており、この穴には、キャプスタンシャフト１２に対して平行とされたシャフト１７が強嵌合している。シャフト１７をベアリングホルダ１３に固定するための穴は、シャフト１７のベアリングホルダ１３に対する取り付け精度を確保することができるよう、十分に深く（長く）なっている。
【００１６】
一方、回転ドラム２１を固定するためのドラムベース２２は、キャプスタンモータ１１まで達するよう延長されており、ドラムベース２２の上側部分は、キャプスタンシャフト１２に近付く方向に突出して、突出部２２ｂとなっている（図１参照）。ドラムベース２２の突出部２２ｂには、突出部２２ｂを貫通する穴が形成されており、この穴にはシャフト１７が嵌合している。シャフト１７をドラムベース２２に固定するための穴は、シャフト１７のドラムベース２２に対する取り付け精度を確保することができるよう、十分に長くなっている。
【００１７】
ベアリングホルダ１３の突出部１３ｂとドラムベース２２の突出部２２ｂとをシャフト１７によって互いに連結することにより、ベアリングホルダ１３とドラムベース２２とを実質的に直接連結した構造となっている。ベアリングホルダ１３とドラムベース２２とは、それぞれの底部において、さらに、ねじ１６にて固定されている。
【００１８】
本実施例では、好ましい実施形態として、突出部１３ｂと突出部２２ｂとを合わせた高さが、キャプスタンシャフト１２の高さとほぼ同じか、キャプスタンシャフト１２の高さより若干高くなる程度としている。そして、突出部１３ｂと突出部２２ｂとの接合部を、突出部１３ｂと突出部２２ｂの全体の高さの略中央部としている。
【００１９】
このような構成において、キャプスタンモータ１１の各構成部品、即ち、キャプスタンシャフト１２，ステータヨーク１４，ロータ１５は、ベアリングホルダ１３に固定されたシャフト１７を基準として、それぞれの機械的寸法精度が管理されている。ドラムベース２２に対するキャプスタンシャフト１２の垂直精度は、上述したような、シャフト１７によってベアリングホルダ１３とドラムベース２２とを実質的に直接連結した構造によって確保される。ドラムベース２２に対するキャプスタンシャフト１２の平面的な位置精度も当然ながら確保される。
【００２０】
さらに、ドラムベース２２に対するキャプスタンシャフト１２の高さ精度は、次のようにして確保される。上記のように、ベアリングホルダ１３とドラムベース２２とを、それぞれの底部においてねじ１６にて固定している。ドラムベース２２のねじ１６にて固定した部分の高さは、ドラムベース２２の回転ドラム２１を取り付けた部分から管理されている。ベアリングホルダ１３の底部は、ドラムベース２２における回転ドラム２１を取り付けた部分から高さが管理された部分に直接固定されて基準部となるので、ドラムベース２２に対するキャプスタンシャフト１２の高さ精度が確保されることとなる。
【００２１】
以上のようにして、本発明の固定構造においては、テープ走行系の基準である回転ドラム２１からキャプスタンシャフト１２までの間に、ドラムベース２２，ベアリングホルダ１３しか存在せず、回転ドラム２１及びキャプスタンシャフト１２を含め、回転ドラム２１からキャプスタンシャフト１２までの間には４部品の積み重ね公差しか存在しないこととなる。結果として、回転ドラム２１に対するキャプスタンシャフト１２の平面的な位置，垂直度，高さの各精度は、十二分に確保される。よって、テープ走行系のばらつきは大幅に減少し、高画質化に寄与する。
【００２２】
さらに、キャプスタンシャフト１２の調整機構を別部品として設ける必要がないので、コストアップを招くことはない。さらに、従来のようにステータヨーク１４の面積を大きくとる必要がないので、キャプスタンモータ１１自体ひいては装置全体を小型化することも可能となる。
【００２３】
【発明の効果】
以上詳細に説明したように、本発明の磁気記録再生装置は、回転ドラムを固定するダイキャストよりなるドラムベースと、キャプスタンシャフトとこのキャプスタンシャフトを直立させるベアリングホルダとを有するキャプスタンモータとを備え、ドラムベースとベアリングホルダとを実質的に直接連結したので、別部品の調整機構を設けることなく、キャプスタンシャフトの機械的寸法精度を向上させることができ、また、装置を小型化することも可能となる。
【図面の簡単な説明】
【図１】  本発明の一実施例を示す断面図である。
【図２】  本発明の一実施例を示す平面図である。
【図３】  本発明の全体構成例を示す平面図である。
【図４】  従来例を示す断面図である。
【図５】  従来例を示す平面図である。
【符号の説明】
１１  キャプスタンモータ
１２  キャプスタンシャフト
１３  ベアリングホルダ
１４  ステータヨーク
１５  ロータ
１６  ねじ
１７  シャフト
２１  回転ドラム
２２  ドラムベース
【図１】
0003649115.tif 000002
【図２】
0003649115.tif 000003
【図３】
0003649115.tif 000004
【図４】
0003649115.tif 000005
【図５】
0003649115.tif 000006